(57)【要約】【課題】  高性能カメラを利用した、きれいな写真シールを提供できるようにする。【解決手段】  撮影空間に設けられた撮影ユニット２０の中で、撮影用のカメラ２１は、一眼レフタイプのデジタルカメラなどの高性能カメラとして構成され、被写体となるユーザの静止画像であって、写真シールに利用する画像を撮影する。カメラ２１の近傍に設けられたリアルタイムライブビュー用のカメラ２２は、被写体となるユーザの動画像を撮影し、カメラ２２により撮影された画像がリアルタイムライブビュー画像として、撮影画像表示用モニタ２３に表示される。【選択図】図４
2006163613.tif 000002
【特許請求の範囲】
【請求項１】
被写体であるユーザを撮影する第１の撮影手段と、
前記第１の撮影手段の近傍に設けられ、前記被写体を撮影する第２の撮影手段と、
前記第１の撮影手段および前記第２の撮影手段の近傍に設けられ、前記第１の撮影手段により撮影された静止画像または前記第２の撮影手段により撮影された動画像を表示する第１の表示手段と、
前記第１の撮影手段により撮影された前記被写体の複数の画像を表示する第２の表示手段と、
前記第２の表示手段に表示された画像を写真シールに印刷する印刷手段と
を備えることを特徴とする写真シール販売機。
【請求項２】
前記第２の表示手段により表示された前記画像に対して合成する所定の画像または任意の画像を入力する入力手段をさらに備え、
前記印刷手段は、前記入力手段により入力された前記所定の画像または任意の画像が前記第２の表示手段に表示された前記画像上に合成された画像を写真シールに印刷する
ことを特徴とする請求項１に記載の写真シール販売機。
【請求項３】
前記第２の撮影手段は、前記第１の撮影手段とは異なる撮影方式を有する
ことを特徴とする請求項１または２のいずれかに記載の写真シール販売機。
【請求項４】
前記第１の撮影手段は、メカニカルシャッタ機構を有するデジタルカメラとして構成される
ことを特徴とする請求項１乃至３のいずれかに記載の写真シール販売機。
【請求項５】
前記第１の撮影手段は、一眼レフ方式のデジタルカメラである
ことを特徴とする請求項１乃至４のいずれかに記載の写真シール販売機。
【請求項６】
写真シール販売機の写真シール作成方法であって、
第１の撮影手段により被写体であるユーザを撮影する撮影ステップと、
前記第１の撮影手段、および前記第１の撮影手段の近傍に設けられ前記被写体を撮影する第２の撮影手段の近傍に設けられた表示手段に、前記第１の撮影手段により撮影された静止画像または前記第２の撮影手段により撮影された動画像を表示する第１の表示ステップと、
前記撮影ステップの処理により撮影された前記被写体の複数の画像を表示する第２の表示ステップと、
前記第２の表示ステップの処理により表示された画像を写真シールに印刷する印刷ステップと
を含むことを特徴とする写真シール作成方法。
【請求項７】
写真シール作成処理をコンピュータに実行させるプログラムであって、
第１の撮影手段による被写体であるユーザの撮影を制御する撮影制御ステップと、
前記第１の撮影手段、および前記第１の撮影手段の近傍に設けられ前記被写体を撮影する第２の撮影手段の近傍に設けられた表示手段に、前記第１の撮影手段により撮影された静止画像または前記第２の撮影手段により撮影された動画像の表示を制御する第１の表示制御ステップと、
前記撮影制御ステップの処理により撮影された前記被写体の複数の画像の表示を制御する第２の表示制御ステップと、
前記第２の表示制御ステップの処理により表示された画像の写真シールへの印刷を制御する印刷制御ステップと
をコンピュータに実行させることを特徴とするプログラム。
【発明の詳細な説明】
【技術分野】
【０００１】
本発明は、写真シール販売機に関し、特に、より繊細な編集操作を可能にし、きれいな写真シールを提供できるようにする写真シール販売機に関する。
【背景技術】
【０００２】
ユーザの画像を撮影し、これを予め用意されたフレーム画像などと合成してシール紙などに印刷して提供する写真シール販売機（例えば、プリントクラブ（商標））が知られている。従来、写真シール販売機では、「撮影設定→撮影→編集→印刷設定→印刷」という一連の流れで展開される。装置の構成例としては、撮影・編集・印刷の全てを1箇所で接客を行うもの、撮影・編集と印刷を分けて２箇所で接客を行うもの、撮影と編集・印刷を分けて２箇所で接客を行うもの、撮影と編集と印刷を分けて３箇所で接客を行うものなどがある。また、これらの中で、２箇所で接客を行うものは「２重接客」、３箇所で接客を行うものは「３重接客」などと呼ばれる。
【０００３】
上述した一連の流れ（過程）の中で、撮影過程は特に重要と考えられており、撮影した画像（写真）は全ての過程で利用されるため、写真シール販売機の撮影を行う撮影空間の構成には様々な工夫がなされている。撮影空間の構成としては、カメラ、ストロボ、背景カーテン、プレビュー、リアルタイムライブビュー用のモニタ等の必須の装置を基本として、その他に操作パネルや操作スイッチなどのアミューズメント性を高める装置が設けられている。また、最近では、より被写体の写りにこだわり、ストロボを複数箇所に設けてそれぞれの光量を最適に調節して被写体をモデル並みの環境で撮影できるようにしたり、高性能のデジタルカメラ（主にCCDのデジタルカメラ）を搭載して印刷時に銀塩カメラ（デジタルカメラではなく、ファイルムを装着するタイプのカメラ）と同等の仕上がりが得られるようにしたり、主要なユーザとして想定している女子中高生が好むようなアレンジが多々盛り込まれている。
【０００４】
従来、写真シール販売機に搭載されるカメラは、市場で販売されているコンパクトタイプのデジタルカメラが一般的であったが、近年、コンパクトタイプのデジタルカメラよりも、解像度が高く、ノイズが少ない画像を撮影できる高性能カメラ（例えば、一眼レフタイプのデジタルカメラ）も市場で多く販売されており、その価格も低下してきている。一眼レフタイプのデジタルカメラは、コンパクトタイプのデジタルカメラとは構造が異なり、メカニカルシャッタが採用されており、撮影される画像に光によるノイズが入ることを抑止し、高画質の画像を提供する。このような高性能カメラを写真シール販売機に搭載して利用すれば、より高画質な画像を撮影することが可能となる。
【０００５】
また、一眼レフタイプのデジタルカメラのモニタ画面において、光学ファインダを通して観察される光学プレビュー画像と、撮影されたプレビュー画像を切り換えて表示する技術も提案されている（例えば、特許文献１参照）。
【０００６】
写真シール販売機と同様に、自己撮影（ユーザ自身の撮影）を行う装置として、従来から証明写真機が利用されているが、デジタルカメラが普及するまでは、証明写真機においてフィルムを内蔵する一眼レフカメラが使用されていた。しかし、一眼レフカメラでは被写体が自分自身を確認できず、カメラと被写体の間にガラスや鏡などを設けても、実際に出来上がる写真を確認することが困難であった。その後、デジタルカメラが普及し、証明写真機においても、デジタルカメラのプレビュー機能による利便性向上が期待されてきたが、高画質な写真を得るためには、やはり一眼レフカメラを使用する必要性がある。
【０００７】
【特許文献１】特開２００３−０６０９４３号公報
【発明の開示】
【発明が解決しようとする課題】
【０００８】
しかしながら、写真シール販売機は証明写真機とは異なり、撮影後の画像に対してペンやスタンプなどで落書きを行い、それらを画像合成してシール紙に印刷するのが一般的であり、画像を合成するにあたっては、フィルムに画像を焼き付けるタイプではなくデジタルカメラでなければ、容易に画像合成ができないことから、デジタルカメラを使用する必要がある。
【０００９】
また、最近の写真シール販売機では、背景をクロマキーで合成したり、フレーム画像を動画にしたり、高度な技術が使われるようになった。それらを被写体とうまく合成して写真にするには、リアルタイムに被写体を確認する必要がある。さらに、写真シール販売機では、例えば、２人が１組のユーザとして、２人でポーズを取りながら画像を撮影するケースが多いため、撮影された画像（通常、静止画像）のプレビュー画像のみを確認しながら撮影すると、何度も撮り直しする必要があるため、やはり被写体となるユーザの画像をリアルタイムに表示するリアルタイムライブビューモニタを設ける必要がある。
【００１０】
写真シール販売機においてより高画質な画像を得るために撮影用のデジタルカメラを、コンパクトタイプのデジタルカメラから一眼レフタイプのデジタルカメラに変更しようとすると、一眼レフタイプのカメラの特徴からリアルタイムライブビュー画像を取り出すことができなくなる。従って、被写体となるユーザが、自分自身の写りを確認しながら撮影に臨むことができなくなり、ユーザが望むようなアングルなどでの撮影ができなくなり、満足度の低下に繋がる。
【００１１】
また、仮に一眼レフタイプのデジタルカメラを撮影用に利用できたとしても、ライブビュー画像を取り出そうとすると、実際に写真シールに利用される画像に光によるノイズが入り易くなる。
【００１２】
このように、従来の技術では、高性能カメラを利用した、きれいな写真シールを提供することができないという課題があった。
【００１３】
本発明はこのような状況に鑑みてなされたものであり、高性能カメラを利用した、きれいな写真シールを提供できるようにするものである。
【課題を解決するための手段】
【００１４】
本発明を適用した写真シール販売機は、被写体であるユーザを撮影する第１の撮影手段と、第１の撮影手段の近傍に設けられ、被写体を撮影する第２の撮影手段と、第１の撮影手段および第２の撮影手段の近傍に設けられ、第１の撮影手段により撮影された静止画像または第２の撮影手段により撮影された動画像を表示する第１の表示手段と、第１の撮影手段により撮影された被写体の複数の画像を表示する第２の表示手段と、第２の表示手段に表示された画像を写真シールに印刷する印刷手段とを備えることを特徴とする。
【００１５】
本発明の写真シール販売機においては、第１の撮影手段により被写体であるユーザが撮影され、第１の撮影手段の近傍に設けられる第２の撮影手段により、被写体が撮影され、第１の撮影手段および第２の撮影手段の近傍に設けられる表示手段に、第１の撮影手段により撮影された静止画像または第２の撮影手段により撮影された動画像が表示され、第１の撮影手段により撮影された被写体の複数の画像が第２の表示手段により表示され、第２の表示手段に表示された画像が写真シールに印刷される。
【００１６】
したがって、ユーザの利便性を損なうことなく、高性能カメラを利用したきれいな写真シールを提供できる。
【００１７】
前記第２の表示手段により表示された画像に対して合成する所定の画像または任意の画像を入力する入力手段をさらに備え、印刷手段は、入力手段により入力された所定の画像または任意の画像が第２の表示手段に表示された画像上に合成された画像を写真シールに印刷するようにすることができる。
【００１８】
前記第２の撮影手段は、第１の撮影手段とは異なる撮影方式を有するようにすることができる。
【００１９】
したがって、写真シールに用いる高画質の画像を撮影する高性能カメラと、リアルタイムライブビューを撮影する小型で安価なカメラを組み合わせて小型で安価な写真シール販売機を実現することができる。
【００２０】
前記第１の撮影手段は、メカニカルシャッタ機構を有するデジタルカメラとして構成されるようにすることができる。
【００２１】
したがって、スミアやノイズが抑制された画像を基にしたきれいな写真シールを提供することができる。
【００２２】
前記第１の撮影手段は、一眼レフ方式のデジタルカメラであるようにすることができる。
【００２３】
本発明を適用した写真シール作成方法は、写真シール販売機の写真シール作成方法であって、第１の撮影手段により被写体であるユーザを撮影する撮影ステップと、第１の撮影手段、および第１の撮影手段の近傍に設けられ被写体を撮影する第２の撮影手段の近傍に設けられた表示手段に、第１の撮影手段により撮影された静止画像または第２の撮影手段により撮影された動画像を表示する第１の表示ステップと、撮影ステップの処理により撮影された被写体の複数の画像を表示する第２の表示ステップと、第２の表示ステップの処理により表示された画像を写真シールに印刷する印刷ステップとを含むことを特徴とする。
【００２４】
本発明を適用した写真シール作成方法においては、第１の撮影手段により被写体であるユーザが撮影され、第１の撮影手段、および第１の撮影手段の近傍に設けられ被写体を撮影する第２の撮影手段の近傍に設けられた表示手段に、第１の撮影手段により撮影された静止画像または第２の撮影手段により撮影された動画像が表示され、撮影された被写体の複数の静止画像が表示され、表示された画像が写真シールに印刷される。
【００２５】
本発明を適用したプログラムは、第１の撮影手段による被写体であるユーザの撮影を制御する撮影制御ステップと、第１の撮影手段、および第１の撮影手段の近傍に設けられ被写体を撮影する第２の撮影手段の近傍に設けられた表示手段に、第１の撮影手段により撮影された静止画像または第２の撮影手段により撮影された動画像の表示を制御する第１の表示制御ステップと、撮影制御ステップの処理により撮影された被写体の複数の画像の表示を制御する第２の表示制御ステップと、第２の表示制御ステップの処理により表示された画像の写真シールへの印刷を制御する印刷制御ステップとをコンピュータに実行させることを特徴とする。
【発明の効果】
【００２６】
本発明によれば、写真シールを提供することができる。特に、高性能カメラを利用した、きれいな写真シールを提供することができる。
【発明を実施するための最良の形態】
【００２７】
以下、図面を参照して、本発明の実施の形態について説明する。図１は、本発明を適用した写真シール販売機１の実施の形態の外観構成例を示す斜視図を示している。なお、図１は、説明の便宜上、内部が透視できるように表現されている。
【００２８】
図１の写真シール販売機１は、主に筐体１０とフレーム１２により構成されている。
【００２９】
図１の写真シール販売機１のフレーム１２は、直方体に形成されており、その内側の一部に筐体１０を内包するように形成されている。図１に示されるように、筐体１０は、その背面（面１０Ｃ）が、フレーム１２が構成する直方体の各面の内、右奥の面に接するように位置する。図１においてフレーム１２により形成される直方体の側面のうち、筐体１０の面１０Ｃが接する面に隣接する面であり、図１中奥側の面は、ユーザがフレーム１２内の空間（撮影空間）から退出し、後述する編集空間に移動するための退出口１３として構成される。また、上述したフレーム１２により形成される直方体の各面のうち、退出口１３が設けられる面に対向する面（図１中手前の面）は、ユーザが、フレーム１２内の空間（撮影空間）に入場するための入場口１４として構成される。
【００３０】
筐体１０の正面（面１０Ａ）と対向する面（図１中手前の面）には、背景パネル１５が設置され、ユーザは、フレーム１２内における、筐体１０と背景パネル１５の間の空間を撮影空間として、自分自身を被写体とする撮影作業を行う。背景パネル１５のフレーム１２の外側の面には、後述するように編集作業用のディスプレイ（モニタ）が設置されている。
【００３１】
写真シール販売機１の筐体１０の面１０Ａには、図中上側に、撮影ユニット２０が設けられている。この撮影ユニット２０には、ユーザを撮影し、画像を得るCCD（Charge Coupled Device）、あるいはCMOS（Complementary Metal Oxide Semiconductor）などよりなる撮影用のカメラ２１が設けられている。また、撮影ユニット２０のカメラ２１の図中下側に、例えば、小型のUSB（Universal Serial Bus）カメラなどにより構成されるリアルタイムライブビュー用のカメラ２２が設けられている。さらに、撮影ユニット２０のカメラ２２の、図中下側にある撮影画像表示用モニタ２３は、撮影方法を案内する画像、カメラ２２により撮影されたユーザのリアルタイムライブビュー画像（動画像）を表示する。また、撮影画像表示用モニタ２３には、必要に応じて、カメラ２１により撮影されたユーザの画像であるプレビュー画像（静止画）も表示される。
【００３２】
なお、撮影ユニット２０の詳細については、図４または図５を参照して後述する。
【００３３】
また、面１０Ａのカメラ２１および撮影画像表示用モニタ２３の近傍には、操作パネル２７が設けられている。ユーザは、操作パネル２７に設けられている各種のボタンにより、撮影処理を進行する。
【００３４】
操作パネル２７には、例えば、撮影画像表示用モニタ２３に表示される各種の選択に対して、決定するときに操作される「○ボタン」、決定したものをキャンセルするときに操作される「×ボタン」、撮影画像表示用モニタ２３に表示されるカーソルなどを上下左右に移動するときに操作される「矢印ボタン」などが配置される。また、そのほかにも、撮影を開始するとき操作される「撮影開始ボタン」なども適宜配置される。この他、操作パネル２７には、撮影画像表示用モニタ２３に直接押し当てることで各種の選択を行うためのタッチペンなどが配置されるようにしてもよい。
【００３５】
さらに、それらの両側には、カメラ２１による画像取り込み（撮影）のタイミングに合わせて発光する照明部２４Ａおよび２４Ｂが設けられている。なお、照明部２４Ａと２４Ｂには、例えば拡散板が設けられており、照明部２４Ａと２４Ｂにより出射されたストロボ光は、拡散板で拡散され、被写体に照射される。なお、以下、照明部２４Ａと２４Ｂを区別する必要がない場合、照明部２４Ａと２４Ｂをそれぞれまとめて、照明部２４と称する。
【００３６】
背景パネル１５の外側の面（撮影空間の外の、図中手前の面）には、編集用のディスプレイ２５が配置されている。ディスプレイ２５には、後述するように、タッチパネルが重畳されており、ユーザは、表示されている画像に対し、任意の文字や図形などを、ディスプレイ２５の近傍に設置されたタッチペン２６を利用して書き込む（入力する）。このタッチペン２６は、背景パネル１５の専用の止め具を用いて、着脱可能に設置されている。
【００３７】
なお、必要に応じてタッチペン２６を複数設けて、複数のユーザが同時に編集を行うことができるようにしてもよい。
【００３８】
ユーザは、撮影空間において撮影作業が終了すると、写真シール販売機１の案内に従って、撮影空間から、背景パネル１５のディスプレイ２５が設置されている側の面の手前近傍の位置（図１において点線で囲まれる位置３０）に移動し、後述するようにディスプレイ２５に表示された撮影画像の編集を行う。従って、背景パネル１５のディスプレイ２５が設置されている側の面の手前近傍の位置３０に対応する空間を編集空間と称する。
【００３９】
また、筐体１０の面１０Ａには、硬貨投入口３１および硬貨返却部３２が設けられている。ユーザが所定の代金を硬貨投入口３１に投入すると、撮影作業が開始される。硬貨投入口３１に投入された代金のつり銭や確認できない硬貨が投入された場合、そのつり銭や確認できない硬貨は、硬貨返却口３２から返却される。
【００４０】
筐体の面１０Ｂには、シール紙排出口３３が設けられており、複数の編集画像が、シール紙に印刷されて写真シール紙として排出される。
【００４１】
なお、写真シール販売機１に設けられている各種の部位（例えば、硬貨投入口３１、硬貨返却口３２、写真シール排出口３３等）は、図１に示す場所に限定されない。
【００４２】
図１の写真シール販売機１は、ユーザにより硬貨投入口３１から所定の硬貨が投入されると、撮影画像表示用モニタ２３にカメラ２２により撮影されたリアルタイムライブビュー画像を表示しつつ、カメラ２１により被写体であるユーザを撮影し、撮影した画像をディスプレイ２５に表示し、ユーザがその表示された撮影画像に対してタッチペン２６を用いて入力した入力信号に基づいて、撮影画像を編集し、その結果得られる画像を印刷して写真シール排出口３３から排出する。
【００４３】
図２は、写真シール販売機１の内部の構成例を示すブロック図である。
【００４４】
写真シール販売機１の制御部１０１には、カメラ２１、カメラ２２、撮影画像表示用モニタ２３、操作入力部２７、ディスプレイ２５の他に、ROM（Read Only Memory）１０２、およびRAM(Random Access Memory)１０３、記憶部１０４、通信部１０５、ドライブ１０６、硬貨処理部１１１、発光制御部１１２、音声出力部１１３、カーテン部１１５、編集・設定モニタ用GUI制御部１２１、およびプリンタユニット１３１が接続されており、各部は、制御部１０１により制御される。
【００４５】
カメラ２２は、制御部１０１の制御により、例えば、CMOSイメージセンサ等の撮像素子により被写体（ユーザ）の動画像を撮影し、撮影の結果得られる画像のデータを、USBインタフェース（例えばUSB2.0のインタフェース）を介して、リアルタイムライブビュー画像として制御部１０１に供給する。なお、リアルタイムライブビュー画像は、通常、動画像として撮影画像表示用モニタ２３に表示される。
【００４６】
撮影画像表示用モニタ２３は、例えば、CRT（Cathode Ray Tube）やLCD（Liquid Crystal Display）等により構成され、制御部１０１から供給されるリアルタイムライブビュー画像信号（RGB信号）に基づいて、被写体の画像を動画像としてリアルタイムで表示する。
【００４７】
カメラ２１は、例えば、一眼レフタイプの高性能デジタルカメラとして構成され、制御部１０１の制御に基づいて、被写体の画像を撮影する。ユーザは、撮影画像表示用モニタ２３に表示されたリアルタイムライブビュー画像（通常、ユーザ自身の画像）を確認しながら撮影ポーズを決定し、操作入力部２７の図示せぬ撮影ボタンを押下し、撮影を指示する。撮影が指示されると、制御部１０１は、カメラ２１を駆動して被写体の静止画像を撮影し、後述するようにRAM１０３に保存する。なお、カメラ２１により撮影され、RAM１０３に保存される画像データが写真シールの画像の画像データとして利用される。
【００４８】
操作入力部２７は、例えば、上述したような各種のボタンなどにより構成されており、ユーザからの操作入力（例えば、撮影開始指示等の指示入力など）を受け付ける。
【００４９】
ディスプレイ２５は、制御部１０１より供給される（編集・設定モニタ用GUI制御部１２１より制御部１０１を介して供給される）画像を表示する編集・設定モニタ１１６（以下、モニタ１１６と称する）と、モニタ１１６の表面に重畳された透明のタッチパネル１１７により構成される。すなわち、ディスプレイ２５は、ユーザが、モニタ１１６に表示された画像を参照しながら、その画像に対して（実際には、モニタ１１６の表面のタッチパネル１１７に対して）タッチペン２６を操作して、任意の文字や図形などを、モニタ１１６に表示された画像に対して入力することができるようになされている。
【００５０】
制御部１０１は、ROM１０２に記憶されているプログラムかデータ、または記憶部１０４に記憶され、RAM１０３にロードされたプログラムかデータにしたがって、写真シール販売機１の各部を制御し、写真シール販売機１全体の動作、処理を制御する。
【００５１】
ROM１０２には、例えば、制御部１０１により実行されるプログラムや装置の製造時に書き込まれた初期設定データが記憶される。RAM１０３には、制御部１０１の作業中のデータや、記憶部１０４によりロードされたプログラムやデータを記憶するとともに、各部においてユーザが行った選択、指示等を一時記憶する。
【００５２】
記憶部１０４は、例えば、ハードディスクやフラッシュメモリ等により構成され、制御部１０１により制御されて写真シール販売機１のゲームにおける設定情報等のデータ、およびプログラム等を保存する。例えば、記憶部１０４は、シール紙１６２を印刷するために必要な選択画像の枚数等の設定情報を記憶する。
【００５３】
また、制御部１０１には、ドライブ１０６も接続されている。ドライブ１０６には、磁気ディスク（フレキシブルディスクを含む）、光ディスク（CD-ROM(Compact Disk-Read Only Memory),DVD(Digital Versatile Disk)を含む）、光磁気ディスク（ＭＤ（Mini-Disk）（登録商標）を含む）、および、半導体メモリなどのリムーバブルメディア１０７が適宜装着され、それらから読み出されたコンピュータプログラムやデータが、必要に応じて記憶部１０４に保存されたり、インストールされる。
【００５４】
硬貨処理部１１１は、例えば、図１の硬貨投入口３１から投入された硬貨の金額を検出し、所定の代金が投入されたと判定した場合、後述するゲーム処理の起動信号を制御部１０１に供給する。また、硬貨処理部１１１は、例えば、硬貨投入口３１から所定の代金より多い金額の硬貨が投入された場合、つり銭の金額を算出し、算出したつり銭の硬貨を硬貨返却口３２に排出する処理を行う。
【００５５】
発光制御部１１２は、制御部１０１に制御され、照明部２４Ａおよび２４Ｂ（照明部２４）の発光を制御し、照明部２４に筐体１０の外部または内部を所定の明るさで照明させるとともに、撮影画像が取得されるタイミングに合わせて、ストロボ光を出射させる。なお、照明部２４には、例えば、拡散板が設けられており、照明部２４により出射されたストロボ光は、拡散板で拡散され、被写体を含む被写体の周辺に照射される。
【００５６】
音声出力部１１３は、制御部１０１より供給されるデジタルデータの音声情報に所定の補正を施した後、それをアナログ信号である音声信号に変換し、それをスピーカ１１４Ａおよび１１４Ｂ（スピーカ１１４）に出力する。スピーカ１１４は、供給される音声信号に対応する音声を出力する。
【００５７】
カーテン部１１５は、図１の撮影空間内において、背景パネル１５より所定の距離だけ離間されて設置された複数の背景カーテン（図示せず）の動作を制御し、背景制御部１１６の制御により駆動される。背景制御部１１６は、制御部１０１の制御に基づいて、ユーザの所望の背景カーテン（図示せず）を、撮影時に背景となるような位置に（背景となるような状態にして）移動させるようにカーテン部１１５の駆動を制御する。
【００５８】
編集・設定モニタ用GUI制御部１２１は、制御部１０１に制御され、モニタ１１６に表示させるGUI（Graphical User Interface）画像データを生成し、制御部１０１を介して供給し、そのGUI画像データに対応するGUI画像を表示させる。
【００５９】
プリンタユニット１３１は、IDタグリーダ/ライタ１４１とヘッダ部１４２から構成される。IDタグリーダ/ライタ１４１は、シール紙ユニット１５１に付加されているIDタグ１６１に記憶されている識別情報を接触、または非接触により読み出し、制御部１０１に通知する。制御部１０１は、IDタグリーダ/ライタ１４１から通知された識別情報に基づいて、装着されているシール紙ユニット１５１が、写真シール販売機１において使用可能なユニットであるか否かを判定し、使用可能なユニットであると判定したときのみ、その使用を可能にする。制御部１０１は、写真シール販売機１において使用可能とされるシール紙ユニット１５１の識別情報を管理している。
【００６０】
これにより、写真シール販売機１に対応していない(純正のものでない)シール紙１６２が利用されるのを防止することができる。また、IDタグ１６１により、シール紙１６２の残量等も管理される。なお、シール紙ユニット１５１が純正のものであるか否かは、シール紙ユニット１５１にプリントされているバーコード、シール紙とセットで使用されるIC（Integrated Circuit）カードなどにより確認するようにしてもよいし、あるいは、シール紙ユニット１５１の寸法、形状などにより、機械的に装填可能とすることで確認するようにしてもよい。
【００６１】
ヘッダ部１４２は、制御部１０１の制御により、シール紙ユニット１５１に予めセットしてあるシール紙１６２上に、編集画像（データ）を印刷する。なお、シール紙１６２は、例えばロール状に巻かれた状態で、シール紙ユニット１５１内に収められており、制御部１０１は、シール紙ユニット１５１を制御して、このロール状に巻かれたシール紙１６２から必要な長さ分だけ紙を引き出させ、ヘッダ部１４２に、その引き出された部分に印字させることにより、編集画像を印刷させる。制御部１０１は、編集画像が印刷された部分のシール紙１６２をロールから切り離し、シール紙排出口３３から排出して、ユーザに提供する。
【００６２】
シール紙ユニット１５１は、写真シール販売機１から着脱可能になっており、内部にシール紙１６２を装填し、またIDタグリーダ/ライタ１４１が識別情報を読み取り可能な所定の位置に、IDタグ１６１が付加されている。IDタグ１６１は、例えば、ICタグ（制御タグ）、ICカードのメモリにより構成され、識別情報として固有のIDを記憶する。即ち、シール紙ユニット１５１に付加されているIDタグ１６１には、個々のシール紙ユニット１５１を識別する識別情報等を管理するIDが書き込まれている。なお、IDタグ１６１は、シール紙１６２と一体にし、分離不可とするようにしてもよい。
【００６３】
次に、カメラ２１の詳細な構成について説明する。図３は、カメラ２１の内部の機械的な配置構成を説明する縦断面図である。カメラ２１は、市場で販売されている高性能デジタルカメラであって、例えば、一眼レフタイプのデジタルカメラとすることを想定している。カメラ２１には、進退自在に支持され、光軸Ｏをもつ撮影レンズ２１１および絞り機構２１２を保持するレンズ鏡筒２０３と、その後方に配設され、傾斜した降下位置と退避した上昇位置に回動可能な可動ミラー２１３と、開閉制御されるフォーカルプレーンシャッタ２１４と、CCD、COMSイメージセンサなどにより構成される撮像素子２１５とが配設されている。
【００６４】
さらに、可動ミラー２１３の上方に光学ファインダ部としてフォーカシングスクリーン２１６と、コンデンサレンズ２１７と、ペンタプリズム２１８と、ペンタプリズム２１８の射出面２１８ａ側後方にハーフミラー２１９と、その後方に接眼レンズ２２２とが配設されている。
【００６５】
カメラ２１において光学ファインダによる被写体像観察時には、撮影レンズ２１１および絞り機構２１２を透過した被写体光束は、降下位置にある可動ミラー２１３によって上方のファインダ部側に観察光束として反射され、フォーカシングスクリーン２１６上に結像する。その結像した観察光束は、ファインダ部であるコンデンサレンズ２１７を透過し、ペンタプリズム２１８で反射される。その反射光は、ペンタプリズム２１８の射出面２１８ａと接眼レンズ２２２との間に斜設されるハーフミラー２１９を透過して接眼レンズ２２２より射出される。
【００６６】
すなわち、カメラ２１は、一眼レフタイプのデジタルカメラとして構成されるため、光学ファインダによる、撮影レンズ２１１および絞り機構２１２を介した被写体の観察が可能となるように構成されており、接眼レンズ２２２に目を近づければ撮影される画像を観察することができるように構成されている。
【００６７】
カメラ２１における撮影時には、可動ミラー２１３を撮影光路から上昇位置へ退避させた状態とし、撮影レンズ２１１および絞り機構２１２を透過した被写体光束をフォーカルプレーンシャッタ２１４の開閉動作によって撮像素子２１５上に被写体像を結像させ、撮影が行われる。
【００６８】
すなわち、カメラ２１においては、撮影時以外は、可動ミラー２１３とフォーカルプレーンシャッタ２１４により、撮像素子２１５が外部の光から遮断される。
【００６９】
さらに、カメラ２１は、一般に販売されている一眼レフタイプのデジタルカメラの特徴として、通常のコンパクトタイプのデジタルカメラと比較して、画素数を多くしたり、または１画素あたりの面積を広くとった撮像素子２１５を用いることにより高画質の画像を撮影することができるように構成されている。
【００７０】
例えば、一般に販売されているコンパクトタイプのデジタルカメラの場合、撮影時以外は撮像素子を外部の光から遮断する機構（メカニカルシャッタ）を備えていないため、撮影画面に高輝度のスポット光が入った場合など、撮像素子に蓄積された電荷があふれて、画面上に明るい帯が発生する現象（いわゆるスミア）の発生することがある。
【００７１】
これに対して、カメラ２１においては、メカニカルシャッタ（可動ミラー２１３とフォーカルプレーンシャッタ２１４）により、撮影時以外は撮像素子２１５が外部の光から遮断されるため、スミアの発生を抑止することができ、また、撮像素子２１５に対する暗電流ノイズなどの影響を軽減することができる。この結果、カメラ２１を利用して画像を撮影すれば、単に、画素数の多い高解像度の画像を得ることができるだけでなく、スミアやノイズなどの発生が抑制された高画質の画像を得ることができる。
【００７２】
なお、図３を参照して説明した構成は、カメラ２１の１つの構成例であって、カメラ２１の構成は、これに限定されるものではない。
【００７３】
ところで、上述した撮影用のカメラ２１によれば、高画質の画像を得ることができる反面、上述したように、撮影時以外は、可動ミラー２１３とフォーカルプレーンシャッタ２１４（メカニカルシャッタ）により、撮像素子２１５が外部の光から遮断されるため、例えば、被写体であるユーザが、撮影時のポーズを考えているときなどに、被写体のリアルタイムライブビュー画像を供給することができない。
【００７４】
仮に、撮影時以外にもカメラ２１のメカニカルシャッタを開いて、撮像素子２１５に光を受光させ、リアルタイムライブビュー画像を取り出そうとすると、実際の撮影画像（写真シールに利用するために撮影される画像）に、光によるノイズが入り易くなり、例えば一眼レフタイプの高性能なデジタルカメラを利用する効果が薄れる。
【００７５】
あるいは、カメラ２１の光学ファインダに、別のデジタルカメラ（撮像素子）を装着すれば、理論的には、カメラ２１によりリアルタイムライブビュー画像を提供することができるが、この場合、カメラ２１を大幅に改造する必要があり、写真シール販売機１の大型化、コスト増につながる。
【００７６】
そこで、本発明においては、撮影用のカメラ２１の近傍に、リアルタイムライブビュー用のカメラ２２を配置する。
【００７７】
図４は、撮影ユニット２０の詳細な構成例を示す図である。上述したように、撮影ユニット２０には、撮影用のカメラ２１、リアルタイムライブビュー用のカメラ２２、および撮影画像表示用モニタ２３が含まれており、これらが例えば、金属製の筐体で覆われて撮影ユニット２０が構成される。
【００７８】
同図の図中上側には、カメラ２１（実際には、撮影レンズ２１１を含むレンズ鏡筒２０３）が位置し、カメラ２１の図中下側近傍に、カメラ２２（実際には、カメラ２２のレンズ）が位置し、カメラ２２の図中下側に撮影画像表示用モニタ２３が位置するように、撮影ユニット２０が構成されている。
【００７９】
写真シール販売機１の撮影空間において、被写体となるユーザは、通常、撮影画像表示用モニタ２３に表示される自分自身の画像であるリアルタイムライブビュー画像を確認しながら撮影に臨むため、撮影画像表示用モニタ２３を見つめた状態で撮影を行うことが多い。このため、本発明の写真シール販売機１においては、撮影画像表示用モニタ２３が設けられる撮影ユニット２０において、撮影用のカメラ２１と、リアルタイムライブビュー用のカメラ２２とが互いに近傍に設けられる。
【００８０】
このようにすることで、ユーザは、撮影画像表示用モニタ２３に表示される自分自身の画像であるリアルタイムライブビュー画像（カメラ２２により供給される画像）を確認しながら、実際に写真シールに利用する画像（カメラ２１により供給される画像）を撮影することができる。したがって、自然できれいな写真シールを得ることが可能となる。
【００８１】
また、上述したように、リアルタイムライブビュー用のカメラ２２は、小型で安価なＵＳＢカメラとして構成されるので、２種類のカメラを配置しても、撮影ユニット２０が大型化することはなく、高性能カメラを利用して写真シール用の画像を取得する写真シール販売機１を小型かつ低コストで実現することができる。
【００８２】
あるいはまた、例えば、図５に示されるように、撮影ユニット２０において、カメラ２１の図中横側近傍に、カメラ２２を設けるようにしてもよい。
【００８３】
次に、図６のフローチャートを参照して、図２の制御部１０１が実行するゲーム処理の一例を説明する。
【００８４】
制御部１０１は、ゲーム処理を開始する前、撮影画像表示用モニタ２３に、ゲーム待機画面を表示させている。このゲーム待機画面には、例えば、「コインを入れて遊んでね！」などのメッセージが表示される。なお、メッセージは、スピーカ１１４から音声出力されてもよい。
【００８５】
ステップＳ１１において、制御部１０１は、図２の硬貨処理部１１１からの、ゲーム処理を起動するための起動信号に基づいて、所定の代金の硬貨が硬貨投入口３１から投入されたか否かを判定する。具体的には、硬貨処理部１１１は、硬貨投入口３１から投入された硬貨の金額を検出し、所定の代金以上の硬貨が投入されると、ゲーム処理の起動を指令する起動信号を制御部１０１に供給する。なお、硬貨投入口３１から所定の代金より多い金額の硬貨が投入された場合、硬貨処理部１１１は、つり銭の金額を算出し、算出したつり銭の硬貨を硬貨返却口３２に排出する処理を行う。そして、制御部１０１は、起動信号が供給されたか否かを判定することにより、所定の代金の硬貨が投入されたか否かを判定する。ステップＳ１１において、所定の代金の硬貨が硬貨投入口３１に投入されていないと判定された場合、制御部１０１は、所定の代金の硬貨が硬貨投入口３１から投入されたと判定するまで待機する。
【００８６】
ステップＳ１１において、所定の代金の硬貨が硬貨投入口３１から投入されたと判定された場合、ステップＳ１２に進み、制御部１０１は、撮影設定処理を行う。これにより、例えば、ユーザの操作に基づいて背景となるカーテンが選択されたり、照明部２４によるストロボ光の強さが選択されたりする撮影モードの選択が行われる。
【００８７】
ステップＳ１３において、制御部１０１は、ユーザ（被写体）を撮影する撮影処理を行う。この撮影処理の詳細は、後述する図７のフローチャートを参照して説明する。
【００８８】
ステップＳ１４において、制御部１０１は、ステップＳ１３の処理により撮影されて得られた撮影画像を編集する編集処理を行う。この編集処理の詳細は、後述する図９のフローチャートを参照して説明する。
【００８９】
ステップＳ１５において、制御部１０１は、印刷設定処理を行う。例えば、サイズの小さい画像を一定の基準で選んで、いわゆるおまけシールと呼ばれるシールを、シール紙の余白部分などに印刷する場合などは、ステップＳ１５において、おまけシール画像の選択などの印刷設定が行われる。なお、ステップＳ１５の処理は、省略されるようにすることも可能である。
【００９０】
ステップＳ１６において、制御部１０１は、ステップＳ１４の処理により編集されて得られた編集画像を、ステップＳ１５の処理による印刷設定に基づいて、シール紙１６２に印刷する印刷処理を行い、処理を終了する。この印刷処理の詳細は、後述する図１１のフローチャートを参照して説明する。
【００９１】
次に、図７と図８のフローチャートを参照して、図６のステップＳ１３の撮影処理の詳細について説明する。
【００９２】
ステップＳ２１において、制御部１０１は、撮影画像表示用モニタ２３に、カメラ２２で取り込んだリアルタイムライブビュー画像とともに、「撮影をするよ！」というメッセージ（撮影を促すメッセージであれば、これに限定されず、また、メッセージはスピーカ１１４から音声出力してもよい）を表示させる。これにより、ユーザは、撮影画像表示用モニタ２３に表示された、カメラ２２により撮影される自分自身の動画像であるリアルタイムライブビュー画像を見ながら、ポーズをとるなどすることができる。その後処理は、ステップＳ２２に進む。
【００９３】
ステップＳ２２において、制御部１０１は、撮影が指令されたか否かを判定する。例えば、撮影画像表示用モニタ２３に表示される撮影を行うためのボタン（不図示）が、ユーザの操作入力により選択された場合に、制御部１０１は、撮影が指令されたと判定する。
【００９４】
ステップＳ２２において、撮影が指令されていないと判定された場合、処理はステップＳ２３に進み、制御部１０１は、内蔵するタイマ（不図示）で計時動作を行って、撮影待機時間が設定時間だけ経過したか否かを判定する。例えば、１回目のステップＳ２３の処理における撮影待機時間は、ステップＳ２１の処理を開始してからの時間を指し、２回目以降のステップＳ２３の処理における撮影待機時間は、後述するステップＳ２６の処理で撮影画像を取り込んだ後からの時間を指す。すなわち、１枚の撮影のための時間が撮影待機時間である。設定時間は、１枚の撮影を行うための時間であり、例えば、１０秒である。この例の場合、制御部１０１は、撮影待機時間が１０秒経過したか否かを判定する。ステップＳ２３において、撮影待機時間が設定時間だけ経過していないと判定された場合、処理はステップＳ２２に戻り、それ以降の処理が繰り返される。
【００９５】
ステップＳ２２において撮影が指令されたと判定された場合、または撮影待機時間が設定時間だけ経過したと判定された場合、処理はステップＳ２４に進み、制御部１０１は、カウントダウンを行う。例えば、制御部１０１は、撮影画像表示用モニタ２３に、「３」、「２」、「１」、「０」等のメッセージを順次表示させるようにしたり、撮影画像表示用モニタ２３への表示と同時にスピーカ１１４に、「３」、「２」、「１」、「０」等の音声を出力させるようにすることでカウントダウンを行う。
【００９６】
ステップＳ２５において、制御部１０１は、ステップＳ２４のカウントダウンが０となるタイミング（撮影のタイミング）で、カメラ２１による撮影を行う。このとき撮影される画像は、カメラ２２により撮影され、リアルタイムライブビュー画像として撮影画像表示用モニタ２３に表示されている画像とは異なり、カメラ２１により撮影される静止画像であるが、上述したように、カメラ２１はカメラ２２の近傍に設けられているので、ほぼユーザの意図した通りの画像（リアルタイムライブビュー画像とほぼ同じ画像）を、静止画像として取り込むことができる。
【００９７】
ステップＳ２６において、制御部１０１は、ステップＳ２５の処理で取り込んだ静止画像を、撮影画像としてRAM１０３に保存する（記憶する）。ここまでのステップＳ２１乃至Ｓ２６の処理で、１枚の画像（撮影画像）が保存された（撮影が行われた）ことになる。
【００９８】
ステップＳ２７において、制御部１０１は、撮影画像が８枚保存されたか否かを判定する。例えば、制御部１０１は、ステップＳ２１乃至Ｓ２６の処理が８回繰り返されたか否かによりこれを判定する。なお、制御部１０１は、RAM１０３に保存されている撮影画像の枚数が８枚であるか否かによりこれを判定してもよい。
【００９９】
ステップＳ２７において、まだ撮影画像が８枚保存されていない（すなわち、保存された撮影画像が８枚未満である）と判定された場合、処理はステップＳ２８に進み、制御部１０１は、撮影処理時間が２分経過したか否かを判定する。撮影処理時間は、例えば、図７の撮影処理を開始してからの時間である。ここでは、撮影処理時間を２分としたが、これに限定されず、何分でもよい。
【０１００】
ステップＳ２８において、撮影処理時間がまだ２分経過していないと判定された場合、処理はステップＳ２２に戻り、それ以降の処理が繰り返される。すなわち、撮影画像が８枚保存されるか、撮影処理時間が２分経過するまで、繰り返し撮影が行われる。
【０１０１】
ステップＳ２７において、撮影画像が８枚保存されたと判定された場合、またはステップＳ２８において、撮影処理時間が２分経過したと判定された場合、処理は、図８のステップＳ２９に進む。
【０１０２】
図８のステップＳ２９において、制御部１０１は、図７のステップＳ２６においてRAM１０３に保存された撮影画像の一覧を、例えばサムネイル（縮小画像）で撮影画像表示用モニタ２３に表示させるとともに、「印刷する画像を選択してね」というメッセージを表示させ、ステップＳ３０に進む。
【０１０３】
ステップＳ３０において、制御部１０１は、設定された枚数分だけ画像が選択されたか否かを判定する。具体的には、例えば、写真シール販売機１の製造元は、その製造時に、シール紙１６２を印刷するために必要な選択画像の枚数等の設定情報を記憶部１０４に記憶しておく。制御部１０１は、その設定情報に基づいて、設定された選択画像の枚数分だけ画像が選択されたかどうかを判定する。例えば、設定情報として、選択画像の枚数は４枚であるという情報が記憶部１０４に記憶される場合、制御部１０１は、４枚の画像が選択されたか否かを判定する。
【０１０４】
この選択は、例えば、撮影画像表示用モニタ２３に表示された画像を、操作入力部２７を介して受け付けられるユーザの操作入力により指定することにより行われる。
【０１０５】
ステップＳ３０において、設定された枚数分だけ撮影画像が選択されていないと判定された場合、ステップＳ３１に進み、制御部１０１は、内蔵するタイマ（不図示）で計時動作を行って、印刷画像選択時間（ステップＳ３０の処理の後の時間）が設定時間（例えば、２０秒）だけ経過したか否かを判定する。具体的には制御部１０１は、内蔵するタイマにより、ステップＳ２９で「印刷する画像を選択してね」というメッセージの表示が開始されてからの時間である印刷画像選択時間を計時し、その印刷画像選択時間が設定時間だけ経過したか否かを判定する。ステップＳ３１において、印刷画像選択時間が設定時間を経過していないと判定された場合、制御部１０１は、ステップＳ３０に戻り、上述した処理を繰り返す。
【０１０６】
ステップＳ３１において、印刷画像選択時間が設定時間（例えば、２０秒）だけ経過したと判定された場合、ステップＳ３２に進み、制御部１０１は、ランダムに設定枚数（例えば、４枚）の撮影画像を選択する。なお、制御部１０１は、ユーザにより１枚以上が選択されている場合には、設定枚数に足りない分だけ撮影画像をランダムに選択する。
【０１０７】
ステップＳ３０において、設定された枚数分だけ撮影画像が選択されたと判定された場合、またはステップＳ３２の処理後は、ステップＳ３３に進み、制御部１０１は、ステップＳ３０またはステップＳ３２で選択された設定枚数の画像（例えば、４枚の画像）を、RAM１０３に保存するとともに、編集空間への移動を促すメッセージを、撮影画像表示用モニタ２３に表示させる。
【０１０８】
この後、ユーザは、編集用空間に移動し、撮影画像に対する編集を行う。
【０１０９】
次に、図９のフローチャートを参照して、図６のステップS１４の編集処理の詳細について説明する。
【０１１０】
ステップS５１において、制御部１０１は、図１０を参照して後述する編集受付処理を実行する。これにより、撮影画像に対する編集が行われ、編集された画像のデータが生成され、記憶される。
【０１１１】
ステップS５２において、制御部１０１は、「分割数を選択してね」というメッセージ（分割数の選択を促すメッセージであれば、これに限定されず、また、メッセージは、スピーカ１１４より音声出力してもよい）を、モニタ１１６に表示させる。
【０１１２】
具体的には、例えば、写真シール販売機１の製造元は、その製造時に、設定情報として分割モード（例えば、８分割と１６分割）を記憶部１０４に記憶させておく。制御部１０１は、その分割モードを読み出し、モニタ１１６に表示させる。これにより、ユーザは、８分割と１６分割のうち好きな分割モード（分割数）を選択することができる。ステップＳ５３において、制御部１０１は、ユーザによる分割モードの選択を受け付け、ステップＳ５４に進み、ステップＳ５３で選択を受け付けた分割モードを、RAM１０３に保存し（記憶させ）、図６のステップＳ１５に進む。
【０１１３】
次に、図１０のフローチャートを参照して、図９のステップS５１の編集受付処理の詳細について説明する。
【０１１４】
ステップS７１において、制御部１０１は、編集される対象画像を選択する。
【０１１５】
ステップS７２において、制御部１０１は、タッチペン２６の操作に応じた編集入力を受け付ける。ステップS７３において、制御部１０１は、ステップS７２の処理で編集された画像をモニタ１１６に表示する。
【０１１６】
ステップS７４において、制御部１０１は、操作終了が指令されたか否かを判定する。ステップS７４において、操作終了が指令されたと判定された場合、処理は、ステップS７５に進み、ステップS７３の処理で表示されている編集された画像のデータが、印刷用の画像のデータとしてRAM１０３に記憶される（更新される）。その後、処理は、ステップS７１に戻り、それ以後の処理が繰り返し実行される。
【０１１７】
ステップS７４において、操作終了が指令されていないと判定された場合、処理は、ステップS７６に進み、制御部は、編集処理を開始してからの時間である編集時間が制限時間（例えば、３分）を経過したか否か、または、終了が指示されたか否かを判定する。具体的には、制御部１０１は、不図示のタイマを用いて編集処理を開始してからの時間（ステップＳ７１の処理を開始してからの時間）である編集時間を計時し、その編集時間が制限時間を経過したか否かを判定する。また、モニタ１１６に表示される編集処理の終了を行うためのアイコンなどが、ユーザからのタッチペン２６を介した操作入力により選択された場合に、制御部１０１は、編集処理の終了が指令されたと判定する。
【０１１８】
ステップＳ７４において、編集時間が制限時間を経過していない、および、編集処理の終了が指令されていないと判定された場合、処理は、ステップＳ７２に戻り、再度ユーザの編集入力を行わせる。
【０１１９】
一方、ステップＳ７６において、編集時間が制限時間を経過した、または編集処理の終了が指令されたと判定した場合、編集受付処理は終了し、図９のステップS５２に進むことになる。
【０１２０】
このようにして、ユーザが選択した画像に対してユーザの所望の編集が行われる。
【０１２１】
次に、図１１のフローチャートを参照して、図６のステップＳ１６の印刷処理の詳細について説明する。
【０１２２】
ステップＳ１１１において、制御部１０１は、図９のステップＳ５４において、RAM１０３に記憶された分割モードを読み出し、ステップＳ１１２に進む。
【０１２３】
ステップＳ１１２において、制御部１０１は、ヘッダ部１４２を制御し、図１０のステップＳ７５において、RAM１０３に保存された印刷用の画像データを、ステップＳ１１１で読み出された分割モードに基づいて印刷領域に割り当て、ステップＳ１１３に進む。
【０１２４】
ステップＳ１１３において、制御部１０１は、ヘッダ部１４２を制御し、編集画像をシール紙１６２に印刷して出力する。これにより、写真シール紙排出口３３からシール紙１６２が排出される。
【０１２５】
このようにして、ユーザの好みに応じたスタンプ画像が配置された写真シールが提供される。
【０１２６】
なお、上述した一連の処理をハードウェアで実現するか、ソフトウェアで実現するかは問わない。上述した一連の処理をソフトウェアにより実行させる場合には、そのソフトウェアを構成するプログラムが、コンピュータなどに、通信部１０５を介して接続されるネットワークや光ディスクなどにより構成されるリムーバブルメディア１０７からインストールされる。
【０１２７】
また、本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【０１２８】
【図１】本発明を適用した写真シール販売機の全体の構成例を示す斜視図である。
【図２】図１の写真シール販売機の内部構成例を示すブロック図である。
【図３】撮影用のカメラの詳細な構成例を示す断面図である。
【図４】撮影ユニットの構成例を示す図である。
【図５】撮影ユニットの別の構成例を示す図である。
【図６】ゲーム処理を説明するフローチャートである。
【図７】撮影処理を説明するフローチャートである。
【図８】撮影処理を説明するフローチャートである。
【図９】編集処理を説明するフローチャートである。
【図１０】編集受付処理を説明するフローチャートである。
【図１１】印刷処理を説明するフローチャートである。
【符号の説明】
【０１２９】
１  写真シール販売機
２１  カメラ
２２  カメラ
２３  撮影画像表示用モニタ
２５  ディスプレイ
２６  タッチペン
２７  操作入力部
１０１  制御部
１０３  ＲＡＭ
１０４  記憶部
１０７  リムーバブルメディア
２１１  撮影用レンズ
２１３  可動ミラー
２１４  フォーカルプレーンシャッタ
２１５  撮像素子
【図１】
2006163613.tif 000003
【図２】
2006163613.tif 000004
【図３】
2006163613.tif 000005
【図４】
2006163613.tif 000006
【図５】
2006163613.tif 000007
【図６】
2006163613.tif 000008
【図７】
2006163613.tif 000009
【図８】
2006163613.tif 000010
【図９】
2006163613.tif 000011
【図１０】
2006163613.tif 000012
【図１１】
2006163613.tif 000013